(57)【要約】【課題】  ラバーコーンを横向きに寝かした状態で、洗浄ブラシ側を回転させることにより、構造の簡略化と作業効率を向上することができるラバーコーン洗浄装置の提供。【解決手段】  ラバーコーン２を横向きに寝かした状態でその先端側から差込固定する固定手段３と、ラバーコーン２の傾斜状外周面に当接してラバーコーン２の外周面に沿って円周方向に回転する回転洗浄ブラシ４と、ラバーコーン２の外周面に洗浄水を供給する洗浄水供給手段５を備える。【選択図】      図１
2019072651.tif 000002
【特許請求の範囲】
【請求項１】
ラバーコーンを横向きに寝かした状態でその先端側から差込固定する固定手段と、ラバーコーンの傾斜状外周面に当接してラバーコーンの外周面に沿って円周方向に回転する回転洗浄ブラシと、ラバーコーンの外周面に洗浄水を供給する洗浄水供給手段を備えていることを特徴とするラバーコーン洗浄装置。
【請求項２】
請求項１記載のラバーコーン洗浄装置において、
前記固定手段は、ラバーコーンを横向きに寝かした状態でその先端側から差込んだ時にラバーコーンの先端開口部に嵌合する突起部と、ラバーコーンの方形台座部が嵌合する方形嵌合部と、を備えることを特徴とするラバーコーン洗浄装置。
【請求項３】
請求項１又は２記載のラバーコーン洗浄装置において、
前記方形嵌合部には、ラバーコーンの抜け落ちを防止する仮止め手段を備えることを特徴とするラバーコーン洗浄装置。
【請求項４】
請求項１〜３のいずれか１項に記載のラバーコーン洗浄装置において、
前記仮止め手段が、方形嵌合部の外周縁部に備えたトグルクランプであり、操作ハンドルの回動により方形嵌合部に嵌合したラバーコーンの方形台座裏面を回動アームで押圧するように構成されていることを特徴とするラバーコーン洗浄装置。
【請求項５】
請求項１〜４のいずれか１項に記載のラバーコーン洗浄装置において、
前記回転洗浄ブラシは、ラバーコーンの円周方向に複数備えることを特徴とするラバーコーン洗浄装置。
【請求項６】
請求項１〜５のいずれか１項に記載のラバーコーン洗浄装置において
前記洗浄水供給手段は、前記回転洗浄ブラシの上方からラバーコーンの外周面に向けて洗浄水を供給するように構成されていることを特徴とするラバーコーン洗浄装置。
【請求項７】
請求項１〜６のいずれか１項に記載のラバーコーン洗浄装置において、
前記洗浄水には洗剤を含むことを特徴とするラバーコーン洗浄装置。
【請求項８】
請求項７に記載のラバーコーン洗浄装置において、
前記洗剤は、前記洗浄水供給手段に備えたノズル孔を有するパイプの途中に備えた重力式カップ内に収容されていることを特徴とするラバーコーン洗浄装置。
【発明の詳細な説明】
【技術分野】
【０００１】
本発明は、ラバーコーン洗浄装置に関する。
【背景技術】
【０００２】
従来、ラバーコーン洗浄装置として特許文献１に記載の技術が公知になっている。
この従来例のラバーコーン洗浄装置は、図６、７に示すように、クリーニング水槽部１１４と、該クリーニング水槽部１１４の中央部に回転可能に立設されかつ円錐状ラバーコーン１３８を着脱可能に支持するコーン回転軸１２４と、該コーン回転軸１２４に回転自在に支持されたラバーコーン１３８の円錐状外面に接離自在に当接する洗浄ブラシ１５６と、該コーン回転軸１２４に支持されたラバーコーン１３８の円錐状外側面に洗浄水を供給する洗浄水供給手段１６８とを有し、該コーン回転軸１２４にラバーコーン１３８を支持せしめ、該コーン回転軸１２４を回転させて該ラバーコーン１３８回転させるとともに洗浄水を回転するラバーコーン１３８の傾斜状外周面に供給しかつ該洗浄ブラシ１５６を該ラバーコーン１３８の傾斜状外周面に当接させることによって立設状態のラバーコーン１３８の傾斜状外周面を洗浄することができるようにしたものであった。
【先行技術文献】
【特許文献】
【０００３】
【特許文献１】特開２０００−１８９９０８号
【発明の概要】
【発明が解決しようとする課題】
【０００４】
しかしながら、従来例のラバーコーン洗浄装置にあっては、ラバーコーン１３８側を垂直状態に立設固定した状態で回転させる構造であったため、ラバーコーン１３８の傾斜状外周面に当接させる傾斜状の洗浄ブラシ１５６は、ラバーコーン１３８の着脱時にその都度洗浄ブラシ１５６の回転支持軸１４８を所定角度回動させる必要があり、このため、構造が複雑になるとともに、作業工程が増えて洗浄作業の効率が悪いという問題がある。
【０００５】
本発明の解決しようとする課題は、ラバーコーンを横向きに寝かした状態で、洗浄ブラシ側を回転させることにより、構造の簡略化と作業効率を向上することができるラバーコーン洗浄装置を提供することにある。
【課題を解決するための手段】
【０００６】
上記課題を解決するため請求項１記載のラバーコーン洗浄装置は、ラバーコーンを横向きに寝かした状態でその先端側から差込固定する固定手段と、ラバーコーンの傾斜状外周面に当接してラバーコーンの外周面に沿って円周方向に回転する回転洗浄ブラシと、ラバーコーンの外周面に洗浄水を供給する洗浄水供給手段を備えていることを特徴とする手段とした。
【０００７】
また、請求項２記載のラバーコーン洗浄装置は、請求項１記載のラバーコーン洗浄装置において、
前記固定手段は、ラバーコーンを横向きに寝かした状態でその先端側から差込んだ時にラバーコーンの先端開口部に嵌合する突起部と、ラバーコーンの方形台座部が嵌合する方形嵌合部と、を備えることを特徴とする手段とした。
【０００８】
また、請求項３記載のラバーコーン洗浄装置は、請求項１又は２記載のラバーコーン洗浄装置において、
前記方形嵌合部には、ラバーコーンの抜け落ちを防止する仮止め手段を備えることを特徴とする手段とした。
【０００９】
また、請求項４記載のラバーコーン洗浄装置は、請求項１〜３のいずれか１項に記載のラバーコーン洗浄装置において、
前記仮止め手段が、方形嵌合部の外周縁部に備えたトグルクランプであり、操作ハンドルの回動により方形嵌合部に嵌合したラバーコーンの方形台座裏面を回動アームで押圧するように構成されていることを特徴とする手段とした。
【００１０】
また、請求項５記載のラバーコーン洗浄装置は、請求項１〜４のいずれか１項に記載のラバーコーン洗浄装置において、
前記回転洗浄ブラシは、ラバーコーンの円周方向に複数備えることを特徴とする手段とした。
【００１１】
また、請求項６記載のラバーコーン洗浄装置は、請求項１〜５のいずれか１項に記載のラバーコーン洗浄装置において
前記洗浄水供給手段は、前記回転洗浄ブラシの上方からラバーコーンの外周面に向けて洗浄水を供給するように構成されていることを特徴とする手段とした。
【００１２】
また、請求項７記載のラバーコーン洗浄装置は、請求項１〜６のいずれか１項に記載のラバーコーン洗浄装置において、
前記洗浄水には洗剤を含むことを特徴とする手段とした。
【００１３】
また、請求項８記載のラバーコーン洗浄装置は、請求項７に記載のラバーコーン洗浄装置において、
前記洗剤は、前記洗浄水供給手段に備えたノズル孔を有するパイプの途中に備えた重力式カップ内に収容されていることを特徴とする手段とした。
【発明の効果】
【００１４】
請求項１記載のラバーコーン洗浄装置では、上述のように、ラバーコーンを横向きに寝かした状態でその先端側から差込固定する固定手段と、ラバーコーンの傾斜状外周面に当接してラバーコーンの外周面に沿って円周方向に回転する回転洗浄ブラシと、ラバーコーンの外周面に洗浄水を供給する洗浄水供給手段を備えた構造とすることで、ラバーコーンを横向きに寝かした状態で固定手段に差し込み、洗浄水を供給しながら洗浄ブラシ側を回転させるだけでラバーコーンの外周面を洗浄することができ、洗浄後は固定手段からラバーコーンを抜き取るだけでよいため、作業効率を飛躍的に向上させることができる。
また、回転洗浄ブラシ側を回転させるのみであるため、構造を簡略化することができる。
【００１５】
請求項２記載のラバーコーン洗浄装置では、上述のように、固定手段は、ラバーコーンを横向きに寝かした状態でその先端側から差込んだ時にラバーコーンの先端開口部に嵌合する突起部と、ラバーコーンの方形台座部が嵌合する方形嵌合部と、を備えた構造とすることで、固定手段にラバーコーンを差し込むだけでラバーコーンを回転不能な状態に固定することができる。
【００１６】
請求項３記載のラバーコーン洗浄装置では、上述のように、方形嵌合部には、ラバーコーンの抜け落ちを防止する仮止め手段を備えることで、手で押さえておく必要がなく、ラバーコーンの抜け落ちを防止することができる。
【００１７】
請求項４記載のラバーコーン洗浄装置では、上述のように、仮止め手段が、方形嵌合部の外周縁部に備えたトグルクランプであり、操作ハンドルの回動により方形嵌合部に嵌合されたラバーコーンの方形台座部の裏面を回動アームで押圧するように構成されることにより、ラバーコーンの仮止め及び解除操作を操作ハンドルの回動操作のみで簡単かつ確実に行うことができる。
【００１８】
請求項５記載のラバーコーン洗浄装置では、上述のように、回転洗浄ブラシは、ラバーコーンの円周方向に複数備えることで、回転洗浄ブラシの少ない回転でラバーコーンの洗浄を短時間で終了させることができる。
【００１９】
請求項６記載のラバーコーン洗浄装置では、上述のように、洗浄水供給手段は、前記回転洗浄ブラシの上方からラバーコーンの外周面に向けて洗浄水を供給するように構成されることで、横向きに差し込まれたラバーコーンの外周面を効率的に洗浄することができる。
【００２０】
請求項７記載のラバーコーン洗浄装置では、上述のように、洗浄水には洗剤を含むことで、油汚れ等を効率よく落とすことができる。
【００２１】
請求項８記載のラバーコーン洗浄装置では、上述のように、洗剤は、洗浄水供給手段に備えたノズル孔を有するパイプの途中に備えた重力式カップ内に収容されることで、パイプ内を流れる洗浄水の流れに応じて重力式カップ内に収容された洗剤がパイプ内に落下して洗浄水に混合される。
従って、重力式カップ内に洗剤を収容しておくだけで、洗浄水に適量の洗剤を混合させることができる。
【図面の簡単な説明】
【００２２】
【図１】実施例１のラバーコーン洗浄装置を示す正面図である。
【図２】図１のＡ矢視図である。
【図３】図１のＢ矢視図である。
【図４】図１のＣ矢視図である。
【図５】洗浄水供給装置の一部切欠拡大図である。
【図６】従来例のラバーコーン洗浄機を示す全体斜視図である。
【図７】従来例の洗浄ブラシの作動を示す説明図である。
【発明を実施するための形態】
【００２３】
以下にこの発明の実施例を図面に基づいて説明する。
【実施例１】
【００２４】
まず、この実施例１のラバーコーン洗浄装置を図面に基づいて説明する。
【００２５】
このラバーコーン洗浄装置は、図１〜５に示すように、架台１と、ラバーコーン２を横向きに寝かした状態でその先端側から差込固定する固定手段３と、ラバーコーン２の傾斜状外周面に当接してラバーコーン２の外周面に沿って円周方向に回転する回転洗浄ブラシ４と、ラバーコーン２外周面に洗浄水を供給する洗浄水供給手段５を主な構成として備えている。
【００２６】
さらに詳述すると、前記固定手段３のフレーム３１は、架台１に対し、傾斜状に固定されていて、二点鎖線で示すようにラバーコーン２を横向きに寝かした状態でその先端側から横向きに差込んだ時にラバーコーン２の先端開口部２２に嵌合する突起部３２と、ラバーコーン２の方形台座２１が嵌合する方形嵌合部３３と、を備えている。この方形嵌合部３３に方形台座２１が嵌合することで、ラバーコーン２の回転が阻止された状態にセットされる。
【００２７】
また、前記方形嵌合部３２には、ラバーコーン２の抜け落ちを防止する仮止め手段６として、２個のトグルクランプ６１が用いられて入る。
このトグルクランプ６１は、方形嵌合部３２の左右外周縁部に固定され、操作ハンドル６１ａの回動により方形嵌合部３２に嵌合したラバーコーン２の台座裏面２１を回動アーム６１ｂで押圧することにより仮止めするように構成されている。
【００２８】
また、前記回転洗浄ブラシ４は、ピロー形ユニット４１により前記突起部３２の基端軸部３２ａを中心に回転する３本の枠体４２に備えられ、スプロケット４３及びチェーン４４を介してギヤードモータ４５の回転が枠体４２に伝達され、回転洗浄ブラシ４がラバーコーン２の外周面に沿って円周方向に回転する。
なお、この回転洗浄ブラシ４は、この実施例１では、枠体４２に対しラバーコーン２の円周方向に３つ備えている。
【００２９】
また、前記洗浄水供給手段５は、前記回転洗浄ブラシ４の上方からラバーコーン２の外周面に向けて洗浄水を供給するもので、複数のノズル孔５１を有するパイプ５２の途中には、パイプ５２内に洗剤を自然落下させる重力式カップ５３を備えている。なお、図において５４は開閉コック、５５は洗浄水供給パイプを示す。
【００３０】
次に、この実施例１の作用を説明する。
この実施例１のラバーコーン洗浄装置では、上述のように構成されるため、先ず、図１、２に示すように、架台１に対し、傾斜状に固定された固定手段３のフレーム３１内に、一点鎖線で示すラバーコーン２を横向きに寝かした状態でその先端側から横向きに差込むと、ラバーコーン２の先端開口部２２が突起部３２に嵌合すると同時に、ラバーコーン２の方形台座２１が方形嵌合部３３に嵌合することで、ラバーコーン２の回転が阻止された状態にセットされる。
次に、方形嵌合部３２の左右外周縁部に固定された２個のトグルクランプ６１の操作ハンドル６１ａをそれぞれ内側に回動させることにより、ラバーコーン２の台座裏面２１が回動アーム６１ｂにより押圧され、これにより、ラバーコーン２の抜け落ちが防止された状態になる。
次に、洗浄水供給手段５の開閉コック５４を開けて回転洗浄ブラシ４の上方からラバーコーン２の外周面に向けて洗浄水を供給しながら、ギヤードモータ４５を起動させて回転洗浄ブラシ４を回転させることにより、ラバーコーン２の外周面が洗浄される。
【００３１】
次に、この実施例１の効果を説明する。
【００３２】
この実施例１のラバーコーン洗浄装置では、上述のように、ラバーコーン２を横向きに寝かした状態でその先端側から差込固定する固定手段３と、ラバーコーン２の傾斜状外周面に当接してラバーコーン２の外周面に沿って円周方向に回転する回転洗浄ブラシ４と、ラバーコーン２の外周面に洗浄水を供給する洗浄水供給手段５を備えた構造とすることで、ラバーコーン２を横向きに寝かした状態で固定手段３に差し込み、洗浄水を供給しながら洗浄ブラシ４側を回転させるだけでラバーコーン２の外周面を洗浄することができ、洗浄後は固定手段３からラバーコーン２を抜き取るだけでよいため、作業効率を飛躍的に向上させることができる。
また、回転洗浄ブラシ４側を回転させるのみであるため、構造を簡略化することができる。
【００３３】
また、固定手段３は、ラバーコーン２を横向きに寝かした状態でその先端側から差込んだ時にラバーコーン２の先端開口部に嵌合する突起部３２と、ラバーコーン２の方形台座部２１が嵌合する方形嵌合部３３と、を備えた構造とすることで、固定手段３にラバーコーン２を差し込むだけでラバーコーン２を回転不能な状態に固定することができる。
【００３４】
また、方形嵌合部３３には、ラバーコーン２の抜け落ちを防止する仮止め手段６を備えることで、手で押さえておく必要がなく、ラバーコーン２の抜け落ちを防止することができる。
【００３５】
また、仮止め手段６が、方形嵌合部３３の外周縁部に備えたトグルクランプ６１であり、操作ハンドル６１ａの回動により方形嵌合部３３に嵌合されたラバーコーン２の方形台座部２１の裏面を回動アーム６１Ｂｂで押圧するように構成されることにより、ラバーコーン２の仮止め及び解除操作を操作ハンドル６１ａの回動操作のみで簡単かつ確実に行うことができる。
【００３６】
また、回転洗浄ブラシ４は、ラバーコーン２の円周方向に複数備えることで、回転洗浄ブラシ４の少ない回転でラバーコーン２の洗浄を短時間で終了させることができる。
【００３７】
また、洗浄水供給手段５は、回転洗浄ブラシ４の上方からラバーコーン２の外周面に向けて洗浄水を供給するように構成されることで、横向きに差し込まれたラバーコーン２の外周面を効率的に洗浄することができる。
【００３８】
また、洗浄水には洗剤を含むことで、油汚れ等を効率よく落とすことができる。
【００３９】
また、洗剤は、洗浄水供給手段５に備えたノズル孔５１を有するパイプ５２の途中に備えた重力式カップ５３内に収容されることで、パイプ５２内を流れる洗浄水の流れに応じて重力式カップ５３内に収容された洗剤がパイプ５２内に落下して洗浄水に混合される。
従って、重力式カップ５３内に洗剤を収容しておくだけで、洗浄水に適量の洗剤を混合させることができる。
【００４０】
以上本実施例を説明してきたが、本発明は上述の実施例に限られるものではなく、本発明の要旨を逸脱しない範囲の設計変更等があっても、本発明に含まれる。
【００４１】
例えば、実施例では、固定手段として、トグルクランプを例にとって説明したが、方形嵌合部にラバーコーンの方形台座部を嵌合した状態を仮止め可能であれば公知の全ての手段を用いることができる。
【００４２】
また、実施例では、回転洗浄ブラシの数が３つの場合を例にとって説明したが、その本数は任意である。
【符号の説明】
【００４３】
１  架台
２  ラバーコーン
２１  方形台座部
２２  先端開口部
３  固定手段
３１  フレーム
３２  突起部
３２ａ  基端軸部
３３  方形嵌合部
４  回転洗浄ブラシ
４１  ピロー形ユニット
４２  枠体
４３  スプロケット
４４  チェーン
４５  ギヤードモータ
５  洗浄水供給手段
５１  ノズル孔
５２  パイプ
５３  重力式カップ
５４  開閉コック
５５  洗浄水供給ホース
６  仮止め手段
６１  トグルクランプ
６１ａ  操作ハンドル
６１ｂ  回動アーム
【図１】
2019072651.tif 000003
【図２】
2019072651.tif 000004
【図３】
2019072651.tif 000005
【図４】
2019072651.tif 000006
【図５】
2019072651.tif 000007
【図６】
2019072651.tif 000008
【図７】
2019072651.tif 000009